(57)【要約】  情報伝送方法、端末デバイス及びネットワークデバイスを提供する。該方法は、端末デバイスがネットワークデバイスにより放送された、該端末デバイスがキャリアを選択するための第１の値を受信することと、該端末デバイスが該第１の値に基づいて、該端末デバイスがデータ伝送を行うための第１の上りキャリア及び第２の上りキャリアから目標上りキャリアを決定することと、該端末デバイスが該目標上りキャリアにおいて、該ネットワークデバイスに上りデータを送信することとを含み、該第１の上りキャリアの周波数ポイントと該第２の上りキャリアの周波数ポイントとが異なる。本発明の実施例に係る方法は、ネットワークデバイスが端末デバイスを制御して複数のキャリアからデータの伝送に使用するキャリアを選択することにより、端末デバイスのデータの伝送に使用可能な複数の上りキャリアにおける負荷をバランス化し、上り容量を増加させることができる。
2021511696.tif 000002
【特許請求の範囲】
【請求項１】
端末デバイスが、ネットワークデバイスにより放送された、前記端末デバイスがキャリアを選択するための第１の値を受信することと、
前記端末デバイスが前記第１の値に基づいて、前記端末デバイスがデータ伝送を行うための第１の上りキャリア及び第２の上りキャリアから目標上りキャリアを決定することと、
前記端末デバイスが前記目標上りキャリアにおいて前記ネットワークデバイスに上りデータを送信することとを含み、
前記第１の上りキャリアの周波数ポイントと前記第２の上りキャリアの周波数ポイントとが異なる
ことを特徴とする情報伝送方法。
【請求項２】
前記目標上りキャリアを決定する前に、前記方法は、さらに、
前記端末デバイスが第２の値を取得することを含み、前記第２の値が前記第１の値の大きさと比較し、前記第１の値と前記第２の値との比較結果は、前記目標上りキャリアが前記第１の上りキャリア又は前記第２の上りキャリアであることを示し、
前記目標上りキャリアを決定することは、
前記端末デバイスが前記比較結果に基づいて、前記目標上りキャリアを決定することを含む
ことを特徴とする請求項１に記載の情報伝送方法。
【請求項３】
前記端末デバイスが第２の値を取得することは、
前記端末デバイスが前記第２の値をランダムに生成することを含む
ことを特徴とする請求項２に記載の情報伝送方法。
【請求項４】
前記端末デバイスが第２の値を取得することは、
前記端末デバイスが前記ネットワークデバイスにより送信された前記第２の値を受信することを含み、前記第２の値は、前記ネットワークデバイスが前記第１の上りキャリアの負荷状況及び前記第２の上りキャリアの負荷状況に基づいて決定するものである
ことを特徴とする請求項２に記載の情報伝送方法。
【請求項５】
前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、前記第３の値は、前記ネットワークデバイスが前記第２の値を決定するための基準値である
ことを特徴とする請求項４に記載の情報伝送方法。
【請求項６】
前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、前記第３の値は、前記ネットワークデバイスが前記第２の値を決定するための基準値である
ことを特徴とする請求項４に記載の情報伝送方法。
【請求項７】
前記比較結果として前記第１の値が前記第２の値よりも大きい場合、前記目標上りキャリアが前記第１の上りキャリアであることを示し、又は、前記比較結果として前記第１の値が前記第２の値以下である場合、前記目標上りキャリアが前記第２の上りキャリアであることを示す
ことを特徴とする請求項２〜６のいずれか１項に記載の情報伝送方法。
【請求項８】
前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である
ことを特徴とする請求項５〜７のいずれか１項に記載の情報伝送方法。
【請求項９】
前記端末デバイスの信号測定品質がシステム放送の閾値よりも大きい
ことを特徴とする請求項１〜８のいずれか１項に記載の情報伝送方法。
【請求項１０】
ネットワークデバイスが第１の値を決定することと、
前記ネットワークデバイスが放送方式で端末デバイスに第１の値を送信することとを含み、
前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なる
ことを特徴とする情報伝送方法。
【請求項１１】
前記方法は、さらに、
前記端末デバイスが前記第１の値と前記第２の値とを比較して前記第１の上りキャリア及び前記第２の上りキャリアから前記目標上りキャリアを決定するように、前記ネットワークデバイスが前記第１の上りキャリアの負荷状況及び前記第２の上りキャリアの負荷状況に基づいて第２の値を決定することと、
前記ネットワークデバイスが前記端末デバイスに前記第２の値を送信することとを含む
ことを特徴とする請求項１０に記載の情報伝送方法。
【請求項１２】
前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、前記第３の値は、前記ネットワークデバイスが前記第２の値を決定するための基準値である
ことを特徴とする請求項１１に記載の情報伝送方法。
【請求項１３】
前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、前記第３の値は、前記ネットワークデバイスが前記第２の値を決定するための基準値である
ことを特徴とする請求項１１に記載の情報伝送方法。
【請求項１４】
前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である
ことを特徴とする請求項１２又は１３に記載の情報伝送方法。
【請求項１５】
前記端末デバイスの信号測定品質がシステム放送の閾値よりも大きい
ことを特徴とする請求項１０〜１４のいずれか１項に記載の情報伝送方法。
【請求項１６】
送受信ユニットと、処理ユニットとを備える端末デバイスであって、
前記送受信ユニットは、ネットワークデバイスにより放送された、前記端末デバイスがキャリアを選択するための第１の値を受信するように構成され、
処理ユニットは、前記第１の値に基づいて、前記端末デバイスがデータ伝送を行うための第１の上りキャリア及び第２の上りキャリアから目標上りキャリアを決定するように構成され、前記第１の上りキャリアの周波数ポイントと前記第２の上りキャリアの周波数ポイントとが異なり、
前記送受信ユニットは、さらに、前記目標上りキャリアにおいて前記ネットワークデバイスに上りデータを送信するように構成される
ことを特徴とする端末デバイス。
【請求項１７】
前記処理ユニット又は前記送受信ユニットは、さらに、
前記処理ユニットが目標上りキャリアを決定する前に、第２の値を取得するように構成され、前記第２の値が前記第１の値の大きさと比較し、前記第１の値と前記第２の値との比較結果は、前記目標上りキャリアが前記第１の上りキャリア又は前記第２の上りキャリアであることを示し、
前記処理ユニットは、、
前記比較結果に基づいて、前記目標上りキャリアを決定するように構成される
ことを特徴とする請求項１６に記載の端末デバイス。
【請求項１８】
前記処理ユニットは、
前記第２の値をランダムに生成するように構成される
ことを特徴とする請求項１７に記載の端末デバイス。
【請求項１９】
前記送受信ユニットは、
前記ネットワークデバイスにより送信された前記第２の値を受信するように構成され、前記第２の値は、前記ネットワークデバイスが前記第１の上りキャリアの負荷状況及び前記第２の上りキャリアの負荷状況に基づいて決定するものである
ことを特徴とする請求項１７に記載の端末デバイス。
【請求項２０】
前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、前記第３の値は、前記ネットワークデバイスが前記第２の値を決定するための基準値である
ことを特徴とする請求項１９に記載の端末デバイス。
【請求項２１】
前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、前記第３の値は、前記ネットワークデバイスが前記第２の値を決定するための基準値である
ことを特徴とする請求項１９に記載の端末デバイス。
【請求項２２】
前記比較結果として前記第１の値が前記第２の値よりも大きい場合、前記目標上りキャリアが前記第１の上りキャリアであることを示し、又は、前記比較結果として前記第１の値が前記第２の値以下である場合、前記目標上りキャリアが前記第２の上りキャリアであることを示す
ことを特徴とする請求項１７〜２１のいずれか１項に記載の端末デバイス。
【請求項２３】
前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である
ことを特徴とする請求項２０〜２２のいずれか１項に記載の端末デバイス。
【請求項２４】
前記端末デバイスの信号測定品質がシステム放送の閾値よりも大きい
ことを特徴とする請求項１６〜２３のいずれか１項に記載の端末デバイス。
【請求項２５】
決定ユニットと、送受信ユニットとを備えるネットワークデバイスであって、
前記決定ユニットは、第１の値を決定するように構成され、前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なり、
前記送受信ユニットは、放送により端末デバイスに第１の値を送信するように構成される
ことを特徴とするネットワークデバイス。
【請求項２６】
前記決定ユニットは、さらに、
前記端末デバイスが前記第１の値と前記第２の値とを比較して、前記第１の上りキャリア及び前記第２の上りキャリアから前記目標上りキャリアを決定するように、前記第１の上りキャリアの負荷状況及び前記第２の上りキャリアの負荷状況に基づいて第２の値を決定するように構成され、
前記送受信ユニットは、さらに、前記端末デバイスに前記第２の値を送信するように構成される
ことを特徴とする請求項２５に記載のネットワークデバイス。
【請求項２７】
前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、前記第３の値は、前記ネットワークデバイスが前記第２の値を決定するための基準値である
ことを特徴とする請求項２６に記載のネットワークデバイス。
【請求項２８】
前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、前記第３の値は、前記ネットワークデバイスが前記第２の値を決定するための基準値である
ことを特徴とする請求項２６に記載のネットワークデバイス。
【請求項２９】
前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である
ことを特徴とする請求項２７又は２８に記載のネットワークデバイス。
【請求項３０】
前記端末デバイスの信号測定品質がシステム放送の閾値よりも大きい
ことを特徴とする請求項２５〜２９のいずれか１項に記載のネットワークデバイス。
【発明の詳細な説明】
【技術分野】
【０００１】
本発明の実施例は、通信分野に関し、具体的に、情報伝送方法、端末デバイス及びネットワークデバイスに関する。
【背景技術】
【０００２】
人々はが速度、遅延、高速移動性、エネルギー効率に対する追求、および将来の生活におけるトラフィックの多様、複雑になる。第３世代パートナーシッププロジェクト( Ｔｈｅ ３ｒｄ Ｇｅｎｅｒａｔｉｏｎ Ｐａｒｔｎｅｒｓｈｉｐ Ｐｒｏｊｅｃｔ、３ ＧＰＰ )国際標準団体は、第五世代移動通信技術（５−Ｇｅｎｅｒａｔｉｏｎ、５Ｇ）の開発を開始している。新しいラジオ( Ｎｅｗ Ｒａｄｉｏ、ＮＲ )の早期展開において、完全なＮＲカバレージは、取得することが困難であるため、典型的なネットワークカバレージは、広域のロングタームエボリューション( Ｌｏｎｇ Ｔｅｒｍ Ｅｖｏｌｕｔｉｏｎ、ＬＴＥ )カバレージおよびＮＲの孤立カバレージモードである。また、ＬＴＥの展開数が６ギガヘルツ( ＧＨｚ )以下であるため、５Ｇに利用可能な６ ＧＨｚ以下のスペクトルは少ない。したがって、ＮＲは６ ＧＨｚ以上のスペクトル適用を検討しなければならず、高周波数帯域のカバレッジは限られており、信号のフェージングは速い。
【０００３】
従来技術において、端末デバイスは上り電力が制限され、ＮＲの周波数スペクトル(プライマリ上りキャリア)の周波数が高く、伝搬損失が高いため、上りカバレッジが制限されており、上りカバレッジを向上させるためには、セカンダリ上りスペクトル(つまり、セカンダリ上りキャリアが１つ存在する)としてＬＴＥスペクトル(相対的に周波数の低い)を用い、上りカバレッジを向上させることが可能であった。
【０００４】
具体的には、測定セルの参照信号受信電力( Ｒｅｆｅｒｅｎｃｅ Ｓｉｇｎａｌ Ｒｅｃｅｉｖｉｎｇ Ｐｏｗｅｒ、ＲＳＲＰ )がシステム放送構成の閾値よりも低い場合、セカンダリ上りキャリアを選択し、上りカバレッジを向上させる。端末デバイスは、測定したＲＳＲＰがシステム放送構成の閾値よりも高い場合、プライマリ上りキャリアまたはセカンダリ上りキャリアを選択することができる。
【０００５】
しかし、２つのキャリアにかかる負荷は異なる。
【０００６】
このため、端末デバイスは、この２つのキャリアからデータを伝送するキャリアを適切に選択することができないと、上り容量が制限される可能性が高い。
【発明の概要】
【０００７】
本発明は、複数のキャリアからデータを伝送するキャリアを選択することができ、さらに、上り容量を向上させることができる情報伝送方法、端末デバイス及びネットワークデバイスを提供する。
【０００８】
第１の態様は、情報伝送方法を提供し、
端末デバイスが、ネットワークデバイスにより放送された、前記端末デバイスがキャリアを選択するための第１の値を受信することと、
前記端末デバイスが前記第１の値に基づいて、前記端末デバイスがデータ伝送を行うための第１の上りキャリア及び第２の上りキャリアから目標上りキャリアを決定することと、
前記端末デバイスが前記目標上りキャリアにおいて前記ネットワークデバイスに上りデータを送信することとを含み、
前記第１の上りキャリアの周波数ポイントと前記第２の上りキャリアの周波数ポイントとが異なる。
【０００９】
本発明の実施例に係る方法は、ネットワークデバイスが端末デバイスを制御して複数のキャリアの中からデータの伝送に使用するキャリアを選択することにより、端末デバイスのデータの伝送に使用可能な複数の上りキャリアにおける負荷をバランス化し、上り容量を増加させることができる。
【００１０】
いくつかの実現可能な方式において、前記目標上りキャリアを決定する前に、前記方法は、さらに、
前記端末デバイスが第２の値を取得することを含み、前記第２の値が前記第１の値の大きさと比較し、前記第１の値と前記第２の値との比較結果は、前記目標上りキャリアが前記第１の上りキャリア又は前記第２の上りキャリアであることを示し、ここで、前記目標上りキャリアを決定することは、
前記端末デバイスが前記比較結果に基づいて、前記目標上りキャリアを決定することを含む。
【００１１】
いくつかの実現可能な方式において、前記端末デバイスが第２の値を取得することは、
前記端末デバイスが前記第２の値をランダムに生成することを含む。
【００１２】
いくつかの実現可能な方式において、前記端末デバイスが第２の値を取得することは、
前記端末デバイスが前記ネットワークデバイスにより送信された前記第２の値を受信することを含み、ここで、前記第２の値は、前記ネットワークデバイスが前記第１の上りキャリアの負荷状況及び前記第２の上りキャリアの負荷状況に基づいて決定するものである。
【００１３】
いくつかの実現可能な方式において、前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、ここで、前記第３の値は、前記ネットワークデバイスが前記第２の値を決定するための基準値である。
【００１４】
いくつかの実現可能な方式において、前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、ここで、前記第３の値は、前記ネットワークデバイスが前記第２の値を決定するための基準値である。
【００１５】
いくつかの実現可能な方式において、前記比較結果として前記第１の値が前記第２の値よりも大きい場合、前記目標上りキャリアが前記第１の上りキャリアであることを示し、又は、前記比較結果として前記第１の値が前記第２の値以下である場合、前記目標上りキャリアが前記第２の上りキャリアであることを示す。
【００１６】
いくつかの実現可能な方式において、前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である。
【００１７】
いくつかの実現可能な方式において、前記端末デバイスの信号測定品質がシステム放送の閾値よりも大きい。
【００１８】
第２の態様は、情報伝送方法を提供し、
ネットワークデバイスが第１の値を決定することと、
前記ネットワークデバイスが放送方式で端末デバイスに第１の値を送信することとを含み、前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なる。
【００１９】
いくつかの実現可能な方式において、前記方法は、さらに、
前記端末デバイスが前記第１の値と前記第２の値とを比較して前記第１の上りキャリア及び前記第２の上りキャリアから前記目標上りキャリアを決定するように、前記ネットワークデバイスが前記第１の上りキャリアの負荷状況及び前記第２の上りキャリアの負荷状況に基づいて第２の値を決定することと、前記ネットワークデバイスが前記端末デバイスに前記第２の値を送信することとを含む。
【００２０】
いくつかの実現可能な方式において、前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、ここで、前記第３の値は、前記ネットワークデバイスが前記第２の値を決定するための基準値である。
【００２１】
いくつかの実現可能な方式において、前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、ここで、前記第３の値は、前記ネットワークデバイスが前記第２の値を決定するための基準値である。
【００２２】
いくつかの実現可能な方式において、前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である。
【００２３】
いくつかの実現可能な方式において、前記端末デバイスの信号測定品質がシステム放送の閾値よりも大きい。
【００２４】
第３の態様は、端末デバイスを提供し、送受信ユニット及び処理ユニットを含み、
送受信ユニットは、ネットワークデバイスにより放送された、前記端末デバイスがキャリアを選択するための第１の値を受信するように構成され、
処理ユニットは、前記第１の値に基づいて、前記端末デバイスがデータ伝送を行うための第１の上りキャリア及び第２の上りキャリアから目標上りキャリアを決定するように構成され、前記第１の上りキャリアの周波数ポイントと前記第２の上りキャリアの周波数ポイントとが異なり、前記送受信ユニットは、さらに、前記目標上りキャリアにおいて前記ネットワークデバイスに上りデータを送信するように構成される。
【００２５】
第４の態様は、ネットワークデバイスを提供し、決定ユニット及び送受信ユニットを含み、
決定ユニットは、第１の値を決定するように構成され、前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なり、
送受信ユニットは、放送により端末デバイスに第１の値を送信するように構成される。
【００２６】
第５の態様は、端末デバイスを提供し、送受信機及びプロセッサを含み、
送受信機は、ネットワークデバイスにより放送された、前記端末デバイスがキャリアを選択するための第１の値を受信するように構成され、
プロセッサは、前記第１の値に基づいて、前記端末デバイスがデータ伝送を行うための第１の上りキャリア及び第２の上りキャリアから目標上りキャリアを決定するように構成され、前記第１の上りキャリアの周波数ポイントと前記第２の上りキャリアの周波数ポイントとが異なり、
前記送受信ユニットは、さらに、前記目標上りキャリアにおいて前記ネットワークデバイスに上りデータを送信するように構成される。
【００２７】
第６の態様は、ネットワークデバイスを提供し、プロセッサ及び送受信機を含み、
プロセッサは、第１の値を決定するように構成され、前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なり、
送受信機は、放送により端末デバイスに第１の値を送信するように構成される。
【００２８】
第７の態様は、上述の第１の態様または第２の態様の方法の実施形態を実行するための命令を含むコンピュータプログラムを記憶するためのコンピュータ可読媒体を提供する。
【００２９】
第８の態様は、入力インターフェース、出力インターフェース、少なくとも１つのプロセッサ、及びメモリを備えるコンピュータチップを提供し、プロセッサは、メモリ内のコードを実行し、このコードが実行されると、上記第１の態様及び様々な実装形態の方法の実施形態においてネットワークデバイスによって実行される様々なプロセスを実現できる。
【００３０】
第９の態様は、入力インターフェース、出力インターフェース、少なくとも１つのプロセッサ、及びメモリを備えるコンピュータチップを提供し、プロセッサは、メモリ内のコードを実行し、このコードが実行されると、上記第１の態様及び様々な実装形態の方法の実施形態において端末デバイスによって実行される様々なプロセスを実現できる。
【００３１】
第１０の態様は、上記ネットワークデバイスと、上記端末デバイスとを備える通信システムを提供する。
【図面の簡単な説明】
【００３２】
【図１】本発明の応用シーンの例である。
【図２】本発明の実施例における情報伝送方法のフローチャートである。
【図３】本発明の実施例における端末デバイスのブロック図である。
【図４】本発明の実施例における他の端末デバイスのブロック図である。
【図５】本発明の実施例におけるネットワークデバイスのブロック図である。
【図６】本発明の実施例における他のネットワークデバイスのブロック図である。
【発明を実施するための形態】
【００３３】
図１は、本発明の実施例の適用シーンの例である。
【００３４】
図１に示すように、端末デバイスは、１つの下りキャリアと２つの上りキャリア(図１に示す第１の上りキャリアと第２の上りキャリア)を有してもよい。具体的には、この第１の上りキャリアおよび下りキャリアは、ＮＲ高周波数帯域上のキャリアであり得、この第２の上りキャリアは、ＬＴＥ低周波数帯域上のキャリアであり得る。なお、図１に示す端末デバイスは、２つの上りキャリアを有する例を示したに過ぎず、本発明の実施形態は、特に限定されない。例えば、端末デバイスは、３つの上りキャリア等をサポートすることもできる。
【００３５】
なお、第２の上りキャリアを導入する動機は、ＮＲ高周波数帯域の上りカバレージを向上させるためである。
【００３６】
具体的に、端末デバイスは、上り電力が制限され、ＮＲのスペクトル(周波数が高く、伝搬損失が高い)の周波数が高いため、ＮＲの上りカバレッジが制限され、上りカバレッジを向上させるために、本発明の実施例ではデータ伝送方法を提供する。ＬＴＥスペクトル(相対的に低い周波数)をセカンダリ上りキャリアとして利用することにより、上りカバレッジ効果を高めることができる。
【００３７】
例えば、第１の上りキャリアおよび第２の上りキャリアの組合せは、対応する下りを有しないことを除き、ＬＴＥにおけるキャリアアグリゲーション( ＣＡ )と同様であり得る。すなわち、バンド（ｂａｎｄ）の組み合わせから見ると、第２の上りキャリアは上りだけで対応する下りがないセルであるが、その上りはある下りキャリアによって制御され、第２の上りキャリアが配置されている場合には、第２の上りキャリアは下りのないセカンダリサービングセル( ＳＣｅｌｌ)であり、第２の上りキャリアに対する制御は、プライマリサービングセル( ＰＣｅｌｌ )に依存する。
【００３８】
なお、本発明の実施例は、複数の上りを含む任意の通信システムに適用可能である。例えば、第１の通信システム及び第２の通信システムは、例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ )システム、Ｃｏｄｅ Ｄｉｖｉｓｉｏｎ Ｍｕｌｔｉｐｌｅ Ａｃｃｅｓｓ （ ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、Ｇｅｎｅｒａｌ  Ｐａｃｋｅｔ  Ｒａｄｉｏ  Ｓｅｒｖｉｃｅ  （  ＧＰＲＳ )、Ｌｏｎｇ Ｔｅｒｍ Ｅｖｏｌｕｔｉｏｎ （ ＬＴＥ )システム、Ｔｉｍｅ  Ｄｉｖｉｓｉｏｎ  Ｄｕｐｌｅｘ （ ＴＤＤ )、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )等の各種通信システムであってもよい。
【００３９】
また、本発明の実施例では、第１〜第４のネットワークデバイスとしてのネットワークデバイスと、端末デバイスとを例に挙げて説明した。
【００４０】
ここで、ネットワークデバイスは、ネットワーク側の任意のエンティティが信号を送信または受信するために使用することができる。例えば、マシンクラス通信( ＭＴＣ )のユーザ機器、ＧＳＭまたはＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４１】
端末デバイスは、どのような端末デバイスであってもよい。具体的には、端末デバイスは、アクセス端末、ユーザ機器( Ｕｓｅｒ Ｅｑｕｉｐｍｅｎｔ、ＵＥ )、ユーザ装置、ユーザ局、移動局、リモート端末、モバイルデバイス、ユーザ端末、ワイヤレス通信デバイス、ユーザエージェント、またはユーザ装置とも呼ばれ得る、無線アクセスネットワーク( Ｒａｄｉｏ Ａｃｃｅｓｓ Ｎｅｔｗｏｒｋ、ＲＡＮ )を介して１つまたは複数のコアネットワーク( Ｃｏｒｅ Ｎｅｔｗｏｒｋ )と通信し得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Gネットワークにおける端末デバイスなどであり得る。
【００４２】
しかしながら、上記図１に示したシーンでは、端末デバイスが下りキャリアの信号品質を測定することに基づいて、第２の上りキャリア(セカンダリキャリア)の選択を決定している。例えば、測定セルの参照信号受信電力( Ｒｅｆｅｒｅｎｃｅ Ｓｉｇｎａｌ Ｒｅｃｅｉｖｉｎｇ Ｐｏｗｅｒ、ＲＳＲＰ )がシステム放送構成の閾値よりも低い場合、セカンダリ上りキャリアが選択され、上りカバレッジをさらに向上させる。端末デバイスは、測定したＲＳＲＰがシステム放送構成の閾値よりも高い場合、プライマリ上りキャリアまたはセカンダリ上りキャリアを選択することができる。
【００４３】
しかしながら、端末デバイスは、２つのキャリアの負荷が異なるため、データを伝送するキャリアを適切に選択し、上り容量を向上させる必要がある。
【００４４】
本発明は、上記課題を解決するために、複数のキャリアの中からデータを伝送するキャリアを選択し、端末デバイスのデータの伝送に使用可能な複数の上りキャリア上の負荷をバランス化し、上り容量を向上させることができるデータ伝送方法を提供する。
【００４５】
図２は本発明の実施例における情報伝送方法のフローチャートである。
【００４６】
具体的に、図２に示すように、該方法は、以下のステップを含む。
【００４７】
２１０において、端末デバイスがネットワークデバイスにより送信された、該端末デバイスがキャリアを選択するための第１の値を受信する。例えば、端末デバイスがネットワークデバイスにより放送された、該端末デバイスがキャリアを選択する第１の値を受信する。即ち、該第１の値は、放送方式で該端末デバイスに送信する。
【００４８】
２２０において、該端末デバイスが該第１の値に基づいて、該端末デバイスがデータ伝送を行うための第１の上りキャリア及び第２の上りキャリアから目標上りキャリアを決定する。
【００４９】
２３０において、該端末デバイスが該目標上りキャリアにおいて、該ネットワークデバイスに上りデータを送信する。
【００５０】
つまり、端末デバイスは、ネットワークデバイスの第１の値により、データを伝送するための上りキャリアを決定する。すなわち、本発明の実施例に係る方法は、ネットワークデバイスが端末デバイスを制御して複数のキャリアからデータ伝送に使用するキャリアを選択することにより、端末デバイスのデータ伝送に使用可能な複数の上りキャリアの負荷をバランス化し、上り容量を向上させることができる。
【００５１】
なお、本発明の実施例に係る端末デバイスの信号測定品質は、システム放送の閾値よりも大きくてもよい。さらに、この信号測定品質は、端末デバイスによって測定された参照信号受信電力( Ｒｅｆｅｒｅｎｃｅ Ｓｉｇｎａｌ Ｒｅｃｅｉｖｉｎｇ Ｐｏｗｅｒ、ＲＳＲＰ )及び/又は参照信号受信品質( Ｒｅｆｅｒｅｎｃｅ Ｓｉｇｎａｌ Ｒｅｃｅｉｖｉｎｇ Ｑｕａｌｉｔｙ、ＲＳＲＱ )であってもよい。
【００５２】
例えば、この第１の値は、端末デバイスが上りデータを伝送するために使用した上りキャリアを直接示してもよい。すなわち、この第１の値は、この目標上りキャリアのインデックスであり得る。
【００５３】
ある実施例において、該端末デバイスが目標上りキャリアを決定する前に、第２の値を取得し、該第２の値は、該第１の値の大きさと比較し、該第１の値と該第２の値との比較結果は、該目標上りキャリアが該第１の上りキャリア又は該第２の上りキャリアであることを示し、さらに、該端末デバイスは、上記の比較結果に基づいて、該目標上りキャリアを決定する。
【００５４】
ある実施例において、該端末デバイスは、該第２の値をランダムに生成する。
【００５５】
ある実施例において、該端末デバイスは、該ネットワークデバイスにより送信された該第２の値を受信し、ここで、該第２の値は、該ネットワークデバイスが該第１の上りキャリアの負荷状況及び該第２の上りキャリアの負荷状況に基づいて決定するものである。
【００５６】
例えば、該第１の上りキャリアの負荷が該第２の上りキャリアの負荷よりも小さい場合、該第２の値が第３の値よりも大きく、該第１の上りキャリアの負荷が該第２の上りキャリアの負荷以上である場合、該第２の値が該第３の値以下であり、ここで、該第３の値は、該ネットワークデバイスが該第２の値を決定する基準値である。
【００５７】
例えば、該第１の上りキャリアの負荷が該第２の上りキャリアの負荷以上である場合、該第２の値が第３の値よりも大きく、該第１の上りキャリアの負荷が該第２の上りキャリアの負荷よりも小さい場合、該第２の値が該第３の値以下であり、ここで、該第３の値は、該ネットワークデバイスが該第２の値を決定する基準値である。
【００５８】
さらに、該第１の値の値範囲、該第２の値の値範囲及び該第３の値の値範囲は、いずれも０〜１であり、又は、該第１の値の値範囲、該第２の値の値範囲及び該第３の値の値範囲は、いずれも０〜１０である。
【００５９】
つまり、第１の値がｋであり、第２の値がｎであり、第１の上りキャリアがセカンダリ上りキャリアであり、第２の上りキャリアがプライマリ上りキャリアである。本発明の実施例において、ネットワークデバイスが第２の値を決定する原則は、以下のいずれかである。
【００６０】
プライマリ上りキャリアがセカンダリ上りキャリアの負荷よりもが軽い場合には、ネットワークデバイスは、端末デバイスに対して０.５未満の値、例えば０.３を設定する。また、プライマリ上りキャリアの負荷が重い場合には、ネットワークデバイスは、端末デバイスに対して０.５ ( ５ )より大きい値、例えば０.７ ( ７ )のように設定する。
【００６１】
また、プライマリ上りキャリアの負荷が軽い場合には、ネットワークデバイスは、端末デバイスに対して０.５ ( ５ )より大きい値、例えば０.７ ( ７ )のような数字を設定する。ネットワークデバイスは、プライマリの上りキャリア負荷では、端末デバイスに対して０.５未満、例えば０.３未満の数を設定する。
【００６２】
これにより、端末デバイスは、上記第１の値及び第２の値を取得した後、当該第１の値及び第２の値の大きさを比較することにより、目標上りキャリアを決定することができる。例えば、上記比較結果、該第１の値が該第２の値より大きい場合、該目標上りキャリアが該第１の上りキャリアであることを示し、又は、前記比較結果、該第１の値が該第２の値以下である場合、該目標上りキャリアが該第２の上りキャリアであることを指示する。
【００６３】
つまり、第１の値がｋであり、第２の値がｎであり、第１の上りキャリアがセカンダリ上りキャリアであり、第２の上りキャリアがプライマリ上りキャリアである。本発明の実施例において、端末デバイスが目標上りキャリアを選択する原則は、以下のいずれかである。
【００６４】
ｎがｋよりも大きい場合、プライマリ上りキャリアが選択され、そうでない場合、セカンダリ上りキャリアが選択される。
【００６５】
ｎがｋよりも大きい場合は、セカンダリ上りキャリアを選択し、そうでない場合は、プライマリ上りキャリアを選択する。
【００６６】
なお、本発明の実施例は、ネットワークデバイスが決定する第２の値と、端末デバイスが第１の値及び第２の値に基づいて目標上りキャリアを決定する組み合わせ方について、特に限定しない。すなわち、本発明の実施例におけるネットワークデバイスが第２の値を決定する原則と、端末デバイスが目標上りキャリアを決定する原則とは、関連付けられてもよいし、関連付けられなくてもよい。本発明の実施形態は、特に限定されない。
【００６７】
図３は本発明の実施例における端末デバイスのブロック図である。
【００６８】
具体的に、図３に示すように、該端末デバイス３００は、送受信ユニット３１０及び処理ユニット３２０を含み、
送受信ユニット３１０は、ネットワークデバイスにより放送された、該端末デバイスがキャリアを選択するための第１の値を受信するように構成され、
処理ユニット３２０は、該第１の値に基づいて、該端末デバイスがデータ伝送を行うための第１の上りキャリア及び第２の上りキャリアから、目標上りキャリアを決定し、該第１の上りキャリアの周波数ポイントと該第２の上りキャリアの周波数ポイントとは異なり、該送受信ユニット３１０は、さらに、該目標上りキャリアにおいて、該ネットワークデバイスに上りデータを送信するように構成される。
【００６９】
任意選択で、該処理ユニット３２０又は該送受信ユニット３１０は、さらに、
該処理ユニット３２０が目標上りキャリアを決定する前に、第２の値を取得し、該第２の値が該第１の値の大きさと比較し、該第１の値と該第２の値との比較結果は、該目標上りキャリアが該第１の上りキャリア又は該第２の上りキャリアであることを示し、ここで、該処理ユニット３２０は、具体的に、
上記の比較結果に基づいて、該目標上りキャリアを決定するように構成される。
【００７０】
任意選択で、該処理ユニット３２０は、具体的に、該第２の値をランダムに生成するように構成される。
【００７１】
任意選択で、該送受信ユニット３１０は、具体的に、
該ネットワークデバイスにより送信された該第２の値を受信するように構成され、ここで、該第２の値は、該ネットワークデバイスが該第１の上りキャリアの負荷状況及び該第２の上りキャリアの負荷状況に基づいて決定するものである。
【００７２】
任意選択で、該第１の上りキャリアの負荷が該第２の上りキャリアの負荷よりも小さい場合、該第２の値が第３の値よりも大きく、該第１の上りキャリアの負荷が該第２の上りキャリアの負荷以上である場合、該第２の値が該第３の値以下であり、ここで、該第３の値は、該ネットワークデバイスが該第２の値を決定する基準値である。
【００７３】
任意選択で、該第１の上りキャリアの負荷が該第２の上りキャリアの負荷以上である場合、該第２の値が第３の値よりも大きく、該第１の上りキャリアの負荷が該第２の上りキャリアの負荷よりも小さい場合、該第２の値が該第３の値以下であり、ここで、該第３の値は、該ネットワークデバイスが該第２の値を決定する基準値である。
【００７４】
任意選択で、上記の比較結果として該第１の値が該第２の値よりも大きい場合、該目標上りキャリアが該第１の上りキャリアであることを示し、又は、上記比較結果として該第１の値が該第２の値以下である場合、該目標上りキャリアが該第２の上りキャリアであることを示す。
【００７５】
任意選択で、該第１の値の値範囲、該第２の値の値範囲及び該第３の値の値範囲は、いずれも０〜１であり、又は、該第１の値の値範囲、該第２の値の値範囲及び該第３の値の値範囲は、いずれも０〜１０である。
【００７６】
任意選択で、該端末デバイスの信号測定品質がシステム放送の閾値よりも大きい。
【００７７】
本発明の実施例において、送受信ユニット３１０は、送受信機によって実現され、処理ユニット３２０は、プロセッサによって実現され得る。図４に示すように、端末デバイス４００は、プロセッサ４１０、送受信機４２０、及びメモリ４３０を含む。メモリ４３０は、情報を記憶するために使用されてもよく、プロセッサ４１０によって実行されるコード、命令などを記憶するために使用されてもよい。端末デバイス４００内の各構成要素は、データバスの他に、電源バス、制御バス、ステータス信号バス等のバスシステムにより接続されている。なお、図４に示す端末デバイス４００は、前述の図２の方法の実施例における端末デバイスによって実施される様々なプロセスを実施することができ、重複を避けるためにここで説明を省略する。
【００７８】
図５は本発明の実施例におけるネットワークデバイスのブロック図である。
【００７９】
具体的に、図５に示すように、該ネットワークデバイス５００は、決定ユニット５１０及び送受信ユニット５２０を含み、
決定ユニット５１０は、第１の値を決定するように構成され、該第１の値は、端末デバイスが該端末デバイスのデータ伝送を行うための第１の上りキャリア及び第２の上りキャリアから、目標上りキャリアを決定するように構成され、該第１の上りキャリアの周波数ポイントと該第２の上りキャリアの周波数ポイントとが異なり、
送受信ユニット５２０は、放送により端末デバイスに第１の値を送信するように構成される。
【００８０】
任意選択で、決定ユニット５１０は、さらに、
該端末デバイスが該第１の値と該第２の値とを比較して該第１の上りキャリア及び該第２の上りキャリアから該目標上りキャリアを決定するように、該第１の上りキャリアの負荷状況及び該第２の上りキャリアの負荷状況に基づいて第２の値を決定し、
該送受信ユニット５２０は、さらに、該端末デバイスに該第２の値を送信するように構成される。
【００８１】
任意選択で、該第１の上りキャリアの負荷が該第２の上りキャリアの負荷よりも小さい場合、該第２の値が第３の値よりも大きく、該第１の上りキャリアの負荷が該第２の上りキャリアの負荷以上である場合、該第２の値が該第３の値以下であり、ここで、該第３の値は、該ネットワークデバイスが該第２の値を決定する基準値である。
【００８２】
任意選択で、該第１の上りキャリアの負荷が該第２の上りキャリアの負荷以上である場合、該第２の値が第３の値よりも大きく、該第１の上りキャリアの負荷が該第２の上りキャリアの負荷よりも小さい場合、該第２の値が該第３の値以下であり、ここで、該第３の値は、該ネットワークデバイスが該第２の値を決定する基準値である。
【００８３】
任意選択で、該第１の値の値範囲、該第２の値の値範囲及び該第３の値の値範囲は、いずれも０〜１であり、又は、該第１の値の値範囲、該第２の値の値範囲及び該第３の値の値範囲は、いずれも０〜１０である。
【００８４】
任意選択で、該端末デバイスの信号測定品質がシステム方法の閾値よりも大きい。
【００８５】
本発明の実施例において、決定ユニット５１０はプロセッサによって具現され、送受信ユニット５２０は送受信機によって具現される。図６に示すように、ネットワークデバイス６００は、プロセッサ６１０、送受信機６２０、及びメモリ６３０を含み得る。メモリ６３０は、情報を記憶するために使用されてもよく、プロセッサ６１０によって実行されるコード、命令などを記憶するために使用されてもよい。ネットワークデバイス６００の各構成要素は、データバスの他に、電源バス、制御バス、ステータス信号バスなどのバスシステムによって接続されている。
【００８６】
図６に示すネットワークデバイス６００は、前述の図２の方法の実施例におけるネットワークデバイスにより実施される様々なプロセスを実施することができ、重複を避けるためにここでは繰り返し述べない。すなわち、本発明の実施形態による方法の実施形態は、プロセッサに適用されてもよく、またはプロセッサによって実装されてもよい。
【００８７】
実施において、本発明の実施例における方法の実施形態のステップは、プロセッサにおけるハードウェアの集積論理回路またはソフトウェア形態の命令によって実行されてもよい。より具体的には、本発明の実施形態に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【００８８】
なお、本発明の実施形態で言及されたプロセッサは、本発明の実施例で開示された方法、ステップ、及び論理ブロック図を具現するか、または実行することができる信号の処理能力を有する集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ  )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【００８９】
また、本発明の実施の形態でいうメモリは、揮発性メモリであっても不揮発性メモリであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施形態におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよい。すなわち、本明細書に記載のシステム及び方法のメモリは、これら及び任意の他の適切なタイプのメモリを含むことを意図しているが、これらに限定されない。
【００９０】
最後に、本発明の実施形態及び添付の特許請求の範囲で使用される用語は、特定の実施形態を説明する目的のためだけであり、本発明の実施形態を限定することを意図していないことに留意されたい。
【００９１】
例えば、本発明の実施形態及び添付の特許請求の範囲で使用される単数形の「１つ」、「前記」、「上記」、及び「該」は、文脈が他の意味を明確に示しない限り、複数形も含むことを意図している。
【００９２】
また、例えば、本発明の実施形態では、第１の種類のセルグループおよび第２の種類のセルグループという用語を用いることができるが、これらの種類のセルグループはこれらの用語に限定されるものではない。これらの用語は、セルグループのタイプを互いに区別するためにのみ使用される。
【００９３】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【００９４】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施形態の範囲から逸脱するものと考えられるべきではない。
【００９５】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【００９６】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【００９７】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【００９８】
また、本発明の実施例における各機能部は、１つの処理部に集積されていてもよいし、各部は、物理的に単独で存在していてもよいし、２つ以上の部が１つの処理部に集積されていてもよい。
【００９９】
ソフトウェア機能単位で実現され、独立した製品として販売又は使用される場合、コンピュータ読み取り可能な記録媒体に格納されてもよい。このような理解に基づいて、本発明の実施形態の技術的思想の本質または従来技術に寄与する部分、または技術的思想の部分は、１つのコンピュータ装置(パーソナルコンピュータ、サーバ、またはネットワークデバイスなどであってもよい)に本発明の実施形態に係る方法のステップの全部または一部を実行させるための複数の命令を含む１つの記憶媒体に記憶されたソフトウェア製品の形態で具現化されてもよい。また、前記記憶媒体としては、Ｕ-ディスク、リムーバブルハードディスク、リードオンリメモリ、ランダムアクセスメモリ、磁気ディスク、光ディスク等のプログラムコードを記憶できる種々の媒体を用いることができる。
【０１００】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施形態の保護範囲は、特許請求の範囲の保護範囲を基準とするべきである。
【図１】
2021511696.tif 000003
【図２】
2021511696.tif 000004
【図３】
2021511696.tif 000005
【図４】
2021511696.tif 000006
【図５】
2021511696.tif 000007
【図６】
2021511696.tif 000008
【手続補正書】
【提出日】令和2年11月9日(2020.11.9)
【手続補正１】
【補正対象書類名】明細書
【補正対象項目名】全文
【補正方法】変更
【補正の内容】
【発明の詳細な説明】
【技術分野】
【０００１】
本発明の実施例は、通信分野に関し、具体的に、情報伝送方法、端末デバイス及びネットワークデバイスに関する。
【背景技術】
【０００２】
人々はが速度、遅延、高速移動性、エネルギー効率に対する追求、および将来の生活におけるトラフィックの多様、複雑になる。第３世代パートナーシッププロジェクト( Ｔｈｅ ３ｒｄ Ｇｅｎｅｒａｔｉｏｎ Ｐａｒｔｎｅｒｓｈｉｐ Ｐｒｏｊｅｃｔ、３ ＧＰＰ )国際標準団体は、第五世代移動通信技術（５−Ｇｅｎｅｒａｔｉｏｎ、５Ｇ）の開発を開始している。新しいラジオ( Ｎｅｗ Ｒａｄｉｏ、ＮＲ )の早期展開において、完全なＮＲカバレージは、取得することが困難であるため、典型的なネットワークカバレージは、広域のロングタームエボリューション( Ｌｏｎｇ Ｔｅｒｍ Ｅｖｏｌｕｔｉｏｎ、ＬＴＥ )カバレージおよびＮＲの孤立カバレージモードである。また、ＬＴＥの展開数が６ギガヘルツ( ＧＨｚ )以下であるため、５Ｇに利用可能な６ ＧＨｚ以下のスペクトルは少ない。したがって、ＮＲは６ ＧＨｚ以上のスペクトル適用を検討しなければならず、高周波数帯域のカバレッジは限られており、信号のフェージングは速い。
【０００３】
従来技術において、端末デバイスは上り電力が制限され、ＮＲの周波数スペクトル(プライマリ上りキャリア)の周波数が高く、伝搬損失が高いため、上りカバレッジが制限されており、上りカバレッジを向上させるためには、セカンダリ上りスペクトル(つまり、セカンダリ上りキャリアが１つ存在する)としてＬＴＥスペクトル(相対的に周波数の低い)を用い、上りカバレッジを向上させることが可能であった。
【０００４】
具体的には、測定セルの参照信号受信電力( Ｒｅｆｅｒｅｎｃｅ Ｓｉｇｎａｌ Ｒｅｃｅｉｖｉｎｇ Ｐｏｗｅｒ、ＲＳＲＰ )がシステム放送構成の閾値よりも低い場合、セカンダリ上りキャリアを選択し、上りカバレッジを向上させる。端末デバイスは、測定したＲＳＲＰがシステム放送構成の閾値よりも高い場合、プライマリ上りキャリアまたはセカンダリ上りキャリアを選択することができる。
【０００５】
しかし、２つのキャリアにかかる負荷は異なる。
【０００６】
このため、端末デバイスは、この２つのキャリアからデータを伝送するキャリアを適切に選択することができないと、上り容量が制限される可能性が高い。
【発明の概要】
【０００７】
本発明は、情報伝送方法、端末デバイス及びネットワークデバイスを提供する。
【０００８】
第１の態様は、情報伝送方法を提供し、
端末デバイスが、ネットワークデバイスにより放送された、前記端末デバイスがキャリアを選択するための第１の値を受信することと、
前記端末デバイスが前記第１の値に基づいて、前記端末デバイスがデータ伝送を行うための第１の上りキャリア及び第２の上りキャリアから目標上りキャリアを決定することと、
前記端末デバイスが前記目標上りキャリアにおいて前記ネットワークデバイスに上りデータを送信することとを含み、
前記第１の上りキャリアの周波数ポイントと前記第２の上りキャリアの周波数ポイントとが異なる。
【０００９】
本発明の実施例に係る方法は、ネットワークデバイスが端末デバイスを制御して複数のキャリアの中からデータの伝送に使用するキャリアを選択することにより、端末デバイスのデータの伝送に使用可能な複数の上りキャリアにおける負荷をバランス化し、上り容量を増加させることができる。
【００１０】
いくつかの実現可能な方式において、前記目標上りキャリアを決定する前に、前記方法は、さらに、
前記端末デバイスが第２の値を取得することを含み、前記第２の値が前記第１の値の大きさと比較し、前記第１の値と前記第２の値との比較結果は、前記目標上りキャリアが前記第１の上りキャリア又は前記第２の上りキャリアであることを示し、ここで、前記目標上りキャリアを決定することは、
前記端末デバイスが前記比較結果に基づいて、前記目標上りキャリアを決定することを含む。
【００１１】
いくつかの実現可能な方式において、前記端末デバイスが第２の値を取得することは、
前記端末デバイスが前記第２の値をランダムに生成することを含む。
【００１２】
いくつかの実現可能な方式において、前記端末デバイスが第２の値を取得することは、
前記端末デバイスが前記ネットワークデバイスにより送信された前記第２の値を受信することを含み、ここで、前記第２の値は、前記ネットワークデバイスが前記第１の上りキャリアの負荷状況及び前記第２の上りキャリアの負荷状況に基づいて決定するものである。
【００１３】
いくつかの実現可能な方式において、前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、ここで、前記第３の値は、前記ネットワークデバイスが前記第２の値を決定するための基準値である。
【００１４】
いくつかの実現可能な方式において、前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、ここで、前記第３の値は、前記ネットワークデバイスが前記第２の値を決定するための基準値である。
【００１５】
いくつかの実現可能な方式において、前記比較結果として前記第１の値が前記第２の値よりも大きい場合、前記目標上りキャリアが前記第１の上りキャリアであることを示し、又は、前記比較結果として前記第１の値が前記第２の値以下である場合、前記目標上りキャリアが前記第２の上りキャリアであることを示す。
【００１６】
いくつかの実現可能な方式において、前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である。
【００１７】
いくつかの実現可能な方式において、前記端末デバイスの信号測定品質がシステム放送の閾値よりも大きい。
【００１８】
第２の態様は、情報伝送方法を提供し、
ネットワークデバイスが第１の値を決定することと、
前記ネットワークデバイスが放送方式で端末デバイスに第１の値を送信することとを含み、前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なる。
【００１９】
いくつかの実現可能な方式において、前記方法は、さらに、
前記端末デバイスが前記第１の値と前記第２の値とを比較して前記第１の上りキャリア及び前記第２の上りキャリアから前記目標上りキャリアを決定するように、前記ネットワークデバイスが前記第１の上りキャリアの負荷状況及び前記第２の上りキャリアの負荷状況に基づいて第２の値を決定することと、前記ネットワークデバイスが前記端末デバイスに前記第２の値を送信することとを含む。
【００２０】
いくつかの実現可能な方式において、前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、ここで、前記第３の値は、前記ネットワークデバイスが前記第２の値を決定するための基準値である。
【００２１】
いくつかの実現可能な方式において、前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、ここで、前記第３の値は、前記ネットワークデバイスが前記第２の値を決定するための基準値である。
【００２２】
いくつかの実現可能な方式において、前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である。
【００２３】
いくつかの実現可能な方式において、前記端末デバイスの信号測定品質がシステム放送の閾値よりも大きい。
【００２４】
第３の態様は、端末デバイスを提供し、送受信ユニット及び処理ユニットを含み、
送受信ユニットは、ネットワークデバイスにより放送された、前記端末デバイスがキャリアを選択するための第１の値を受信するように構成され、
処理ユニットは、前記第１の値に基づいて、前記端末デバイスがデータ伝送を行うための第１の上りキャリア及び第２の上りキャリアから目標上りキャリアを決定するように構成され、前記第１の上りキャリアの周波数ポイントと前記第２の上りキャリアの周波数ポイントとが異なり、前記送受信ユニットは、さらに、前記目標上りキャリアにおいて前記ネットワークデバイスに上りデータを送信するように構成される。
【００２５】
第４の態様は、ネットワークデバイスを提供し、決定ユニット及び送受信ユニットを含み、
決定ユニットは、第１の値を決定するように構成され、前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なり、
送受信ユニットは、放送により端末デバイスに第１の値を送信するように構成される。
【００２６】
第５の態様は、端末デバイスを提供し、送受信機及びプロセッサを含み、
送受信機は、ネットワークデバイスにより放送された、前記端末デバイスがキャリアを選択するための第１の値を受信するように構成され、
プロセッサは、前記第１の値に基づいて、前記端末デバイスがデータ伝送を行うための第１の上りキャリア及び第２の上りキャリアから目標上りキャリアを決定するように構成され、前記第１の上りキャリアの周波数ポイントと前記第２の上りキャリアの周波数ポイントとが異なり、
前記送受信ユニットは、さらに、前記目標上りキャリアにおいて前記ネットワークデバイスに上りデータを送信するように構成される。
【００２７】
第６の態様は、ネットワークデバイスを提供し、プロセッサ及び送受信機を含み、
プロセッサは、第１の値を決定するように構成され、前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なり、
送受信機は、放送により端末デバイスに第１の値を送信するように構成される。
【００２８】
第７の態様は、上述の第１の態様または第２の態様の方法の実施形態を実行するための命令を含むコンピュータプログラムを記憶するためのコンピュータ可読媒体を提供する。
【００２９】
第８の態様は、入力インターフェース、出力インターフェース、少なくとも１つのプロセッサ、及びメモリを備えるコンピュータチップを提供し、プロセッサは、メモリ内のコードを実行し、このコードが実行されると、上記第１の態様及び様々な実装形態の方法の実施形態においてネットワークデバイスによって実行される様々なプロセスを実現できる。
【００３０】
第９の態様は、入力インターフェース、出力インターフェース、少なくとも１つのプロセッサ、及びメモリを備えるコンピュータチップを提供し、プロセッサは、メモリ内のコードを実行し、このコードが実行されると、上記第１の態様及び様々な実装形態の方法の実施形態において端末デバイスによって実行される様々なプロセスを実現できる。
【００３１】
第１０の態様は、上記ネットワークデバイスと、上記端末デバイスとを備える通信システムを提供する。
【図面の簡単な説明】
【００３２】
【図１】本発明の応用シーンの例である。
【図２】本発明の実施例における情報伝送方法のフローチャートである。
【図３】本発明の実施例における端末デバイスのブロック図である。
【図４】本発明の実施例における他の端末デバイスのブロック図である。
【図５】本発明の実施例におけるネットワークデバイスのブロック図である。
【図６】本発明の実施例における他のネットワークデバイスのブロック図である。
【発明を実施するための形態】
【００３３】
図１は、本発明の実施例の適用シーンの例である。
【００３４】
図１に示すように、端末デバイスは、１つの下りキャリアと２つの上りキャリア(図１に示す第１の上りキャリアと第２の上りキャリア)を有してもよい。具体的には、この第１の上りキャリアおよび下りキャリアは、ＮＲ高周波数帯域上のキャリアであり得、この第２の上りキャリアは、ＬＴＥ低周波数帯域上のキャリアであり得る。なお、図１に示す端末デバイスは、２つの上りキャリアを有する例を示したに過ぎず、本発明の実施形態は、特に限定されない。例えば、端末デバイスは、３つの上りキャリア等をサポートすることもできる。
【００３５】
なお、第２の上りキャリアを導入する動機は、ＮＲ高周波数帯域の上りカバレージを向上させるためである。
【００３６】
具体的に、端末デバイスは、上り電力が制限され、ＮＲのスペクトル(周波数が高く、伝搬損失が高い)の周波数が高いため、ＮＲの上りカバレッジが制限され、上りカバレッジを向上させるために、本発明の実施例ではデータ伝送方法を提供する。ＬＴＥスペクトル(相対的に低い周波数)をセカンダリ上りキャリアとして利用することにより、上りカバレッジ効果を高めることができる。
【００３７】
例えば、第１の上りキャリアおよび第２の上りキャリアの組合せは、対応する下りを有しないことを除き、ＬＴＥにおけるキャリアアグリゲーション( ＣＡ )と同様であり得る。すなわち、バンド（ｂａｎｄ）の組み合わせから見ると、第２の上りキャリアは上りだけで対応する下りがないセルであるが、その上りはある下りキャリアによって制御され、第２の上りキャリアが配置されている場合には、第２の上りキャリアは下りのないセカンダリサービングセル( ＳＣｅｌｌ)であり、第２の上りキャリアに対する制御は、プライマリサービングセル( ＰＣｅｌｌ )に依存する。
【００３８】
なお、本発明の実施例は、複数の上りを含む任意の通信システムに適用可能である。例えば、第１の通信システム及び第２の通信システムは、例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ )システム、Ｃｏｄｅ Ｄｉｖｉｓｉｏｎ Ｍｕｌｔｉｐｌｅ Ａｃｃｅｓｓ （ ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、Ｇｅｎｅｒａｌ  Ｐａｃｋｅｔ  Ｒａｄｉｏ  Ｓｅｒｖｉｃｅ  （  ＧＰＲＳ )、Ｌｏｎｇ Ｔｅｒｍ Ｅｖｏｌｕｔｉｏｎ （ ＬＴＥ )システム、Ｔｉｍｅ  Ｄｉｖｉｓｉｏｎ  Ｄｕｐｌｅｘ （ ＴＤＤ )、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )等の各種通信システムであってもよい。
【００３９】
また、本発明の実施例では、第１〜第４のネットワークデバイスとしてのネットワークデバイスと、端末デバイスとを例に挙げて説明した。
【００４０】
ここで、ネットワークデバイスは、ネットワーク側の任意のエンティティが信号を送信または受信するために使用することができる。例えば、マシンクラス通信( ＭＴＣ )のユーザ機器、ＧＳＭまたはＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ )、ＬＴＥにおける発展型基地局( Ｅｖｏｌｕｔｉｏｎａｌ Ｎｏｄｅ Ｂ、ｅＮＢ又はｅＮｏｄｅＢ )、５Ｇネットワークにおける基地局機器等であってもよい。
【００４１】
端末デバイスは、どのような端末デバイスであってもよい。具体的には、端末デバイスは、アクセス端末、ユーザ機器( Ｕｓｅｒ Ｅｑｕｉｐｍｅｎｔ、ＵＥ )、ユーザ装置、ユーザ局、移動局、リモート端末、モバイルデバイス、ユーザ端末、ワイヤレス通信デバイス、ユーザエージェント、またはユーザ装置とも呼ばれ得る、無線アクセスネットワーク( Ｒａｄｉｏ Ａｃｃｅｓｓ Ｎｅｔｗｏｒｋ、ＲＡＮ )を介して１つまたは複数のコアネットワーク( Ｃｏｒｅ Ｎｅｔｗｏｒｋ )と通信し得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Gネットワークにおける端末デバイスなどであり得る。
【００４２】
しかしながら、上記図１に示したシーンでは、端末デバイスが下りキャリアの信号品質を測定することに基づいて、第２の上りキャリア(セカンダリキャリア)の選択を決定している。例えば、測定セルの参照信号受信電力( Ｒｅｆｅｒｅｎｃｅ Ｓｉｇｎａｌ Ｒｅｃｅｉｖｉｎｇ Ｐｏｗｅｒ、ＲＳＲＰ )がシステム放送構成の閾値よりも低い場合、セカンダリ上りキャリアが選択され、上りカバレッジをさらに向上させる。端末デバイスは、測定したＲＳＲＰがシステム放送構成の閾値よりも高い場合、プライマリ上りキャリアまたはセカンダリ上りキャリアを選択することができる。
【００４３】
しかしながら、端末デバイスは、２つのキャリアの負荷が異なるため、データを伝送するキャリアを適切に選択し、上り容量を向上させる必要がある。
【００４４】
本発明は、上記課題を解決するために、複数のキャリアの中からデータを伝送するキャリアを選択し、端末デバイスのデータの伝送に使用可能な複数の上りキャリア上の負荷をバランス化し、上り容量を向上させることができるデータ伝送方法を提供する。
【００４５】
図２は本発明の実施例における情報伝送方法のフローチャートである。
【００４６】
具体的に、図２に示すように、該方法は、以下のステップを含む。
【００４７】
２１０において、端末デバイスがネットワークデバイスにより送信された、該端末デバイスがキャリアを選択するための第１の値を受信する。例えば、端末デバイスがネットワークデバイスにより放送された、該端末デバイスがキャリアを選択する第１の値を受信する。即ち、該第１の値は、放送方式で該端末デバイスに送信する。
【００４８】
２２０において、該端末デバイスが該第１の値に基づいて、該端末デバイスがデータ伝送を行うための第１の上りキャリア及び第２の上りキャリアから目標上りキャリアを決定する。
【００４９】
２３０において、該端末デバイスが該目標上りキャリアにおいて、該ネットワークデバイスに上りデータを送信する。
【００５０】
つまり、端末デバイスは、ネットワークデバイスの第１の値により、データを伝送するための上りキャリアを決定する。すなわち、本発明の実施例に係る方法は、ネットワークデバイスが端末デバイスを制御して複数のキャリアからデータ伝送に使用するキャリアを選択することにより、端末デバイスのデータ伝送に使用可能な複数の上りキャリアの負荷をバランス化し、上り容量を向上させることができる。
【００５１】
なお、本発明の実施例に係る端末デバイスの信号測定品質は、システム放送の閾値よりも大きくてもよい。さらに、この信号測定品質は、端末デバイスによって測定された参照信号受信電力( Ｒｅｆｅｒｅｎｃｅ Ｓｉｇｎａｌ Ｒｅｃｅｉｖｉｎｇ Ｐｏｗｅｒ、ＲＳＲＰ )及び/又は参照信号受信品質( Ｒｅｆｅｒｅｎｃｅ Ｓｉｇｎａｌ Ｒｅｃｅｉｖｉｎｇ Ｑｕａｌｉｔｙ、ＲＳＲＱ )であってもよい。
【００５２】
例えば、この第１の値は、端末デバイスが上りデータを伝送するために使用した上りキャリアを直接示してもよい。すなわち、この第１の値は、この目標上りキャリアのインデックスであり得る。
【００５３】
ある実施例において、該端末デバイスが目標上りキャリアを決定する前に、第２の値を取得し、該第２の値は、該第１の値の大きさと比較し、該第１の値と該第２の値との比較結果は、該目標上りキャリアが該第１の上りキャリア又は該第２の上りキャリアであることを示し、さらに、該端末デバイスは、上記の比較結果に基づいて、該目標上りキャリアを決定する。
【００５４】
ある実施例において、該端末デバイスは、該第２の値をランダムに生成する。
【００５５】
ある実施例において、該端末デバイスは、該ネットワークデバイスにより送信された該第２の値を受信し、ここで、該第２の値は、該ネットワークデバイスが該第１の上りキャリアの負荷状況及び該第２の上りキャリアの負荷状況に基づいて決定するものである。
【００５６】
例えば、該第１の上りキャリアの負荷が該第２の上りキャリアの負荷よりも小さい場合、該第２の値が第３の値よりも大きく、該第１の上りキャリアの負荷が該第２の上りキャリアの負荷以上である場合、該第２の値が該第３の値以下であり、ここで、該第３の値は、該ネットワークデバイスが該第２の値を決定する基準値である。
【００５７】
例えば、該第１の上りキャリアの負荷が該第２の上りキャリアの負荷以上である場合、該第２の値が第３の値よりも大きく、該第１の上りキャリアの負荷が該第２の上りキャリアの負荷よりも小さい場合、該第２の値が該第３の値以下であり、ここで、該第３の値は、該ネットワークデバイスが該第２の値を決定する基準値である。
【００５８】
さらに、該第１の値の値範囲、該第２の値の値範囲及び該第３の値の値範囲は、いずれも０〜１であり、又は、該第１の値の値範囲、該第２の値の値範囲及び該第３の値の値範囲は、いずれも０〜１０である。
【００５９】
つまり、第１の値がｋであり、第２の値がｎであり、第１の上りキャリアがセカンダリ上りキャリアであり、第２の上りキャリアがプライマリ上りキャリアである。本発明の実施例において、ネットワークデバイスが第２の値を決定する原則は、以下のいずれかである。
【００６０】
プライマリ上りキャリアがセカンダリ上りキャリアの負荷よりもが軽い場合には、ネットワークデバイスは、端末デバイスに対して０.５未満の値、例えば０.３を設定する。また、プライマリ上りキャリアの負荷が重い場合には、ネットワークデバイスは、端末デバイスに対して０.５ ( ５ )より大きい値、例えば０.７ ( ７ )のように設定する。
【００６１】
また、プライマリ上りキャリアの負荷が軽い場合には、ネットワークデバイスは、端末デバイスに対して０.５ ( ５ )より大きい値、例えば０.７ ( ７ )のような数字を設定する。ネットワークデバイスは、プライマリの上りキャリア負荷では、端末デバイスに対して０.５未満、例えば０.３未満の数を設定する。
【００６２】
これにより、端末デバイスは、上記第１の値及び第２の値を取得した後、当該第１の値及び第２の値の大きさを比較することにより、目標上りキャリアを決定することができる。例えば、上記比較結果、該第１の値が該第２の値より大きい場合、該目標上りキャリアが該第１の上りキャリアであることを示し、又は、前記比較結果、該第１の値が該第２の値以下である場合、該目標上りキャリアが該第２の上りキャリアであることを指示する。
【００６３】
つまり、第１の値がｋであり、第２の値がｎであり、第１の上りキャリアがセカンダリ上りキャリアであり、第２の上りキャリアがプライマリ上りキャリアである。本発明の実施例において、端末デバイスが目標上りキャリアを選択する原則は、以下のいずれかである。
【００６４】
ｎがｋよりも大きい場合、プライマリ上りキャリアが選択され、そうでない場合、セカンダリ上りキャリアが選択される。
【００６５】
ｎがｋよりも大きい場合は、セカンダリ上りキャリアを選択し、そうでない場合は、プライマリ上りキャリアを選択する。
【００６６】
なお、本発明の実施例は、ネットワークデバイスが決定する第２の値と、端末デバイスが第１の値及び第２の値に基づいて目標上りキャリアを決定する組み合わせ方について、特に限定しない。すなわち、本発明の実施例におけるネットワークデバイスが第２の値を決定する原則と、端末デバイスが目標上りキャリアを決定する原則とは、関連付けられてもよいし、関連付けられなくてもよい。本発明の実施形態は、特に限定されない。
【００６７】
図３は本発明の実施例における端末デバイスのブロック図である。
【００６８】
具体的に、図３に示すように、該端末デバイス３００は、送受信ユニット３１０及び処理ユニット３２０を含み、
送受信ユニット３１０は、ネットワークデバイスにより放送された、該端末デバイスがキャリアを選択するための第１の値を受信するように構成され、
処理ユニット３２０は、該第１の値に基づいて、該端末デバイスがデータ伝送を行うための第１の上りキャリア及び第２の上りキャリアから、目標上りキャリアを決定し、該第１の上りキャリアの周波数ポイントと該第２の上りキャリアの周波数ポイントとは異なり、該送受信ユニット３１０は、さらに、該目標上りキャリアにおいて、該ネットワークデバイスに上りデータを送信するように構成される。
【００６９】
任意選択で、該処理ユニット３２０又は該送受信ユニット３１０は、さらに、
該処理ユニット３２０が目標上りキャリアを決定する前に、第２の値を取得し、該第２の値が該第１の値の大きさと比較し、該第１の値と該第２の値との比較結果は、該目標上りキャリアが該第１の上りキャリア又は該第２の上りキャリアであることを示し、ここで、該処理ユニット３２０は、具体的に、
上記の比較結果に基づいて、該目標上りキャリアを決定するように構成される。
【００７０】
任意選択で、該処理ユニット３２０は、具体的に、該第２の値をランダムに生成するように構成される。
【００７１】
任意選択で、該送受信ユニット３１０は、具体的に、
該ネットワークデバイスにより送信された該第２の値を受信するように構成され、ここで、該第２の値は、該ネットワークデバイスが該第１の上りキャリアの負荷状況及び該第２の上りキャリアの負荷状況に基づいて決定するものである。
【００７２】
任意選択で、該第１の上りキャリアの負荷が該第２の上りキャリアの負荷よりも小さい場合、該第２の値が第３の値よりも大きく、該第１の上りキャリアの負荷が該第２の上りキャリアの負荷以上である場合、該第２の値が該第３の値以下であり、ここで、該第３の値は、該ネットワークデバイスが該第２の値を決定する基準値である。
【００７３】
任意選択で、該第１の上りキャリアの負荷が該第２の上りキャリアの負荷以上である場合、該第２の値が第３の値よりも大きく、該第１の上りキャリアの負荷が該第２の上りキャリアの負荷よりも小さい場合、該第２の値が該第３の値以下であり、ここで、該第３の値は、該ネットワークデバイスが該第２の値を決定する基準値である。
【００７４】
任意選択で、上記の比較結果として該第１の値が該第２の値よりも大きい場合、該目標上りキャリアが該第１の上りキャリアであることを示し、又は、上記比較結果として該第１の値が該第２の値以下である場合、該目標上りキャリアが該第２の上りキャリアであることを示す。
【００７５】
任意選択で、該第１の値の値範囲、該第２の値の値範囲及び該第３の値の値範囲は、いずれも０〜１であり、又は、該第１の値の値範囲、該第２の値の値範囲及び該第３の値の値範囲は、いずれも０〜１０である。
【００７６】
任意選択で、該端末デバイスの信号測定品質がシステム放送の閾値よりも大きい。
【００７７】
本発明の実施例において、送受信ユニット３１０は、送受信機によって実現され、処理ユニット３２０は、プロセッサによって実現され得る。図４に示すように、端末デバイス４００は、プロセッサ４１０、送受信機４２０、及びメモリ４３０を含む。メモリ４３０は、情報を記憶するために使用されてもよく、プロセッサ４１０によって実行されるコード、命令などを記憶するために使用されてもよい。端末デバイス４００内の各構成要素は、データバスの他に、電源バス、制御バス、ステータス信号バス等のバスシステムにより接続されている。なお、図４に示す端末デバイス４００は、前述の図２の方法の実施例における端末デバイスによって実施される様々なプロセスを実施することができ、重複を避けるためにここで説明を省略する。
【００７８】
図５は本発明の実施例におけるネットワークデバイスのブロック図である。
【００７９】
具体的に、図５に示すように、該ネットワークデバイス５００は、決定ユニット５１０及び送受信ユニット５２０を含み、
決定ユニット５１０は、第１の値を決定するように構成され、該第１の値は、端末デバイスが該端末デバイスのデータ伝送を行うための第１の上りキャリア及び第２の上りキャリアから、目標上りキャリアを決定するように構成され、該第１の上りキャリアの周波数ポイントと該第２の上りキャリアの周波数ポイントとが異なり、
送受信ユニット５２０は、放送により端末デバイスに第１の値を送信するように構成される。
【００８０】
任意選択で、決定ユニット５１０は、さらに、
該端末デバイスが該第１の値と該第２の値とを比較して該第１の上りキャリア及び該第２の上りキャリアから該目標上りキャリアを決定するように、該第１の上りキャリアの負荷状況及び該第２の上りキャリアの負荷状況に基づいて第２の値を決定し、
該送受信ユニット５２０は、さらに、該端末デバイスに該第２の値を送信するように構成される。
【００８１】
任意選択で、該第１の上りキャリアの負荷が該第２の上りキャリアの負荷よりも小さい場合、該第２の値が第３の値よりも大きく、該第１の上りキャリアの負荷が該第２の上りキャリアの負荷以上である場合、該第２の値が該第３の値以下であり、ここで、該第３の値は、該ネットワークデバイスが該第２の値を決定する基準値である。
【００８２】
任意選択で、該第１の上りキャリアの負荷が該第２の上りキャリアの負荷以上である場合、該第２の値が第３の値よりも大きく、該第１の上りキャリアの負荷が該第２の上りキャリアの負荷よりも小さい場合、該第２の値が該第３の値以下であり、ここで、該第３の値は、該ネットワークデバイスが該第２の値を決定する基準値である。
【００８３】
任意選択で、該第１の値の値範囲、該第２の値の値範囲及び該第３の値の値範囲は、いずれも０〜１であり、又は、該第１の値の値範囲、該第２の値の値範囲及び該第３の値の値範囲は、いずれも０〜１０である。
【００８４】
任意選択で、該端末デバイスの信号測定品質がシステム方法の閾値よりも大きい。
【００８５】
本発明の実施例において、決定ユニット５１０はプロセッサによって具現され、送受信ユニット５２０は送受信機によって具現される。図６に示すように、ネットワークデバイス６００は、プロセッサ６１０、送受信機６２０、及びメモリ６３０を含み得る。メモリ６３０は、情報を記憶するために使用されてもよく、プロセッサ６１０によって実行されるコード、命令などを記憶するために使用されてもよい。ネットワークデバイス６００の各構成要素は、データバスの他に、電源バス、制御バス、ステータス信号バスなどのバスシステムによって接続されている。
【００８６】
図６に示すネットワークデバイス６００は、前述の図２の方法の実施例におけるネットワークデバイスにより実施される様々なプロセスを実施することができ、重複を避けるためにここでは繰り返し述べない。すなわち、本発明の実施形態による方法の実施形態は、プロセッサに適用されてもよく、またはプロセッサによって実装されてもよい。
【００８７】
実施において、本発明の実施例における方法の実施形態のステップは、プロセッサにおけるハードウェアの集積論理回路またはソフトウェア形態の命令によって実行されてもよい。より具体的には、本発明の実施形態に関連して開示された方法のステップは、ハードウェアデコーディングプロセッサによって実行されることによって直接実施され得るか、または、デコーディングプロセッサ内のハードウェアおよびソフトウェアモジュールの組み合わせによって実行されることによって実施され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当該技術分野における成熟した記憶媒体内に配置され得る。この記憶媒体は、メモリに位置し、プロセッサは、メモリ内の情報を読み取り、ハードウェアとともに上述した方法のステップを実行する。
【００８８】
なお、本発明の実施形態で言及されたプロセッサは、本発明の実施例で開示された方法、ステップ、及び論理ブロック図を具現するか、または実行することができる信号の処理能力を有する集積回路チップであり得る。例えば、上記のプロセッサは、汎用プロセッサ、デジタル信号プロセッサ( ｄｉｇｉｔａｌ ｓｉｇｎａｌ ｐｒｏｃｅｓｓｏｒ、ＤＳＰ )、特定用途向け集積回路( ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ )、既存のプログラマブルゲートアレイ( ｆｉｅｌｄ ｐｒｏｇｒａｍｍａｂｌｅ ｇａｔｅ ａｒｒａｙ、ＦＰＧＡ  )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【００８９】
また、本発明の実施の形態でいうメモリは、揮発性メモリであっても不揮発性メモリであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。上述のメモリは、限定ではなく例示的であるが、例えば、本発明の実施形態におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )等であってもよい。すなわち、本明細書に記載のシステム及び方法のメモリは、これら及び任意の他の適切なタイプのメモリを含むことを意図しているが、これらに限定されない。
【００９０】
最後に、本発明の実施形態及び添付の特許請求の範囲で使用される用語は、特定の実施形態を説明する目的のためだけであり、本発明の実施形態を限定することを意図していないことに留意されたい。
【００９１】
例えば、本発明の実施形態及び添付の特許請求の範囲で使用される単数形の「１つ」、「前記」、「上記」、及び「該」は、文脈が他の意味を明確に示しない限り、複数形も含むことを意図している。
【００９２】
また、例えば、本発明の実施形態では、第１の種類のセルグループおよび第２の種類のセルグループという用語を用いることができるが、これらの種類のセルグループはこれらの用語に限定されるものではない。これらの用語は、セルグループのタイプを互いに区別するためにのみ使用される。
【００９３】
また、例えば、文脈に応じて、本明細書で使用される「……で」という用語は、「もし」または「……の場合」または「決定に応答して」または「検出に応答して」と解釈され得る。同様に、文脈に応じて、「決定された場合」または「検出された場合(条件または事象の提示された場合)」という句は、「決定された場合」または「決定された場合に応答する」または「検出された場合(条件または事象の提示された場合)」として解釈され得る。
【００９４】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施形態の範囲から逸脱するものと考えられるべきではない。
【００９５】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【００９６】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【００９７】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、各手段の一部又は全部を、必要に応じて選択して、実施することもできる。
【００９８】
また、本発明の実施例における各機能部は、１つの処理部に集積されていてもよいし、各部は、物理的に単独で存在していてもよいし、２つ以上の部が１つの処理部に集積されていてもよい。
【００９９】
ソフトウェア機能単位で実現され、独立した製品として販売又は使用される場合、コンピュータ読み取り可能な記録媒体に格納されてもよい。このような理解に基づいて、本発明の実施形態の技術的思想の本質または従来技術に寄与する部分、または技術的思想の部分は、１つのコンピュータ装置(パーソナルコンピュータ、サーバ、またはネットワークデバイスなどであってもよい)に本発明の実施形態に係る方法のステップの全部または一部を実行させるための複数の命令を含む１つの記憶媒体に記憶されたソフトウェア製品の形態で具現化されてもよい。また、前記記憶媒体としては、Ｕ-ディスク、リムーバブルハードディスク、リードオンリメモリ、ランダムアクセスメモリ、磁気ディスク、光ディスク等のプログラムコードを記憶できる種々の媒体を用いることができる。
【手続補正２】
【補正対象書類名】特許請求の範囲
【補正対象項目名】全文
【補正方法】変更
【補正の内容】
【特許請求の範囲】
【請求項１】
端末デバイスが、ネットワークデバイスにより放送された、前記端末デバイスがキャリアを選択するための第１の値を受信することと、
前記端末デバイスが前記第１の値に基づいて、前記端末デバイスがデータ伝送を行うための第１の上りキャリア及び第２の上りキャリアから目標上りキャリアを決定することと、
前記端末デバイスが前記目標上りキャリアにおいて前記ネットワークデバイスに上りデータを送信することとを含み、
前記第１の上りキャリアの周波数ポイントと前記第２の上りキャリアの周波数ポイントとが異なる
ことを特徴とする情報伝送方法。
【請求項２】
前記目標上りキャリアを決定する前に、前記方法は、さらに、
前記端末デバイスが第２の値を取得することを含み、前記第２の値が前記第１の値の大きさと比較し、前記第１の値と前記第２の値との比較結果は、前記目標上りキャリアが前記第１の上りキャリア又は前記第２の上りキャリアであることを示し、
前記目標上りキャリアを決定することは、
前記端末デバイスが前記比較結果に基づいて、前記目標上りキャリアを決定することを含む
ことを特徴とする請求項１に記載の情報伝送方法。
【請求項３】
前記端末デバイスが第２の値を取得することは、
前記端末デバイスが前記第２の値をランダムに生成することを含む
ことを特徴とする請求項２に記載の情報伝送方法。
【請求項４】
前記端末デバイスが第２の値を取得することは、
前記端末デバイスが前記ネットワークデバイスにより送信された前記第２の値を受信することを含み、前記第２の値は、前記ネットワークデバイスが前記第１の上りキャリアの負荷状況及び前記第２の上りキャリアの負荷状況に基づいて決定するものである
ことを特徴とする請求項２に記載の情報伝送方法。
【請求項５】
前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、前記第３の値は、前記ネットワークデバイスが前記第２の値を決定するための基準値である
ことを特徴とする請求項４に記載の情報伝送方法。
【請求項６】
前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、前記第３の値は、前記ネットワークデバイスが前記第２の値を決定するための基準値である
ことを特徴とする請求項４に記載の情報伝送方法。
【請求項７】
前記比較結果として前記第１の値が前記第２の値よりも大きい場合、前記目標上りキャリアが前記第１の上りキャリアであることを示し、又は、前記比較結果として前記第１の値が前記第２の値以下である場合、前記目標上りキャリアが前記第２の上りキャリアであることを示す
ことを特徴とする請求項２〜６のいずれか１項に記載の情報伝送方法。
【請求項８】
前記第１の値の値範囲、前記第２の値の値範囲及び前記第３の値の値範囲は、いずれも０〜１であり、又は、前記第１の値の値範囲、前記第２の値の値範囲及び前記第３の値の値範囲は、いずれも０〜１０である
ことを特徴とする請求項５〜７のいずれか１項に記載の情報伝送方法。
【請求項９】
前記端末デバイスの信号測定品質がシステム放送の閾値よりも大きい
ことを特徴とする請求項１〜８のいずれか１項に記載の情報伝送方法。
【請求項１０】
ネットワークデバイスが第１の値を決定することと、
前記ネットワークデバイスが放送方式で端末デバイスに第１の値を送信することとを含み、
前記第１の値は、端末デバイスが前記端末デバイスのデータ伝送を行うための第１の上りキャリア及び第２の上りキャリアから目標上りキャリアを決定するために用いられ、前記第１の上りキャリアの周波数ポイントと前記第２の上りキャリアの周波数ポイントとが異なる
ことを特徴とする情報伝送方法。
【請求項１１】
前記方法は、さらに、
前記端末デバイスが前記第１の値と前記第２の値とを比較して前記第１の上りキャリア及び前記第２の上りキャリアから前記目標上りキャリアを決定するように、前記ネットワークデバイスが前記第１の上りキャリアの負荷状況及び前記第２の上りキャリアの負荷状況に基づいて第２の値を決定することと、
前記ネットワークデバイスが前記端末デバイスに前記第２の値を送信することとを含む
ことを特徴とする請求項１０に記載の情報伝送方法。
【請求項１２】
前記第１の上りキャリアの負荷が前記第２の上りキャリアの負荷よりも小さい場合、前記第２の値が第３の値よりも大きく、前記第１の上りキャリアの負荷が前記第２の上りキャリアの負荷以上である場合、前記第２の値が前記第３の値以下であり、前記第３の値は、前記ネットワークデバイスが前記第２の値を決定するための基準値である
ことを特徴とする請求項１１に記載の情報伝送方法。
【請求項１３】
前記第１の上りキャリアの負荷が前記第２の上りキャリアの負荷以上である場合、前記第２の値が第３の値よりも大きく、前記第１の上りキャリアの負荷が前記第２の上りキャリアの負荷よりも小さい場合、前記第２の値が前記第３の値以下であり、前記第３の値は、前記ネットワークデバイスが前記第２の値を決定するための基準値である
ことを特徴とする請求項１１に記載の情報伝送方法。
【請求項１４】
請求項１〜９のいずれか１項に記載の情報伝送方法を実行する
ことを特徴とする端末デバイス。
【請求項１５】
請求項１０〜１３のいずれか１項に記載の情報伝送方法を実行する
ことを特徴とするネットワークデバイス。
【手続補正３】
【補正対象書類名】図面
【補正対象項目名】全図
【補正方法】変更
【補正の内容】
【図１】
2021511696.tif 000009
【図２】
2021511696.tif 000010
【図３】
2021511696.tif 000011
【図４】
2021511696.tif 000012
【図５】
2021511696.tif 000013
【図６】
2021511696.tif 000014
【国際調査報告】
2021511696.tif 000015
2021511696.tif 000016
2021511696.tif 000017
2021511696.tif 000018